(57)【要約】【技術課題】  アンダーカットを有する成形品を成形する際、アンダーカット成形用入子が作動するときに成形品が移動したり、高収縮率の成形品が収縮するときに成形品が中心方向に移動するのを阻止する。【解決手段】  固定側金型１０３と可動側金型１０２とを型締めして形成されたキャビティ１０９により成形した成形品１００を型開き後、エジェクタピン１０６で突き出すことにより、固定側金型１０２または可動側金型１０３から成形品１００を離型する射出成形方法において、上記エジェクタピン１０６の先端にカット部１０６Ａを形成し、このカット部１０６Ａでエジェクタピン１０６の先端とキャビティ１０９面に突起部成形空間１１０を形成し、樹脂充填時にキャビティ１０９内からこの空間１１０内に樹脂の一部を侵入させることにより、成形品１００の成形と同時にエジェクタピン１０６が係合して成形品１００が移動するのを阻止する包囲リブ１０８Ａを形成する。【選択図】        図  ３
2005178066.tif 000002
【特許請求の範囲】
【請求項１】
固定側金型と可動側金型とを型締めして形成されたキャビティにより成形した成形品を型開き後エジェクタピンで突き出すことにより、固定側金型または可動側金型から成形品を離型する射出成形方法において、上記エジェクタピンの先端にカット部を形成することにより、このカット部でエジェクタピンの先端とキャビティ内のエジェクタピンガイド孔の入口との間に突起部成形空間を形成し、樹脂充填時に、キャビティ内からこの空間内に樹脂の一部を侵入させることにより、成形品の成形と同時にエジェクタピン係合用の突起部を成形する射出成形方法。
【請求項２】
請求項１の突起部成形空間は、エジェクタピンの先端の外周面及びキャビティ面において、エジェクタピンガイド孔の入口部分を大径に形成して成形された大径部で形成されることを特徴とする射出成形方法。
【請求項３】
請求項１の突起部成形空間は、エジェクタピンガイド孔の入口部分に形成された環状又は半環状の包囲リブ溝から成ることを特徴とする射出成形方法。
【請求項４】
請求項１の突起部成形空間は、エジェクタピンガイド孔の入口部分に形成された直線的な板状リブ溝から成ることを特徴とする射出成形方法。
【請求項５】
請求項１の突起部形成空間は、エジェクタピンガイド孔の入口部分に形成された放射状の板状リブ溝から成ることを特徴とする射出成形方法。
【請求項６】
請求項１の突起部成形空間は、エジェクタピンガイド孔の入口部分に形成された環状又は半環状の包囲リブ溝とこの外側に形成された直線的な平行又は放射状又はこの平行と放射状を組み合わせた板状リブ溝で形成されていることを特徴とする射出成形方法。
【請求項７】
請求項６の板状リブ溝は、環状、半環状の包囲リブ溝よりも深く形成されていることを特徴とする射出成形方法。
【請求項８】
エジェクタピンの先端と対向する周囲の全部又は一部に突起部が一体成形されていることを特徴とする射出成形品。
【発明の詳細な説明】
【技術分野】
【０００１】
本発明は溶融した熱可塑性樹脂を金型に形成されたキャビティ内に充填して成形品を成形する射出成形方法であって、特に、成形品の一部にアンダーカット部分が存在したり、収縮率の高い樹脂を材料として製品を成形する場合に適用される射出成形方法及びこの成形方法により成形された成形品に関する。
【背景技術】
【０００２】
射出成形用金型を用いる成形方法は、固定側金型と移動側金型とを型締めし、それによって形成された空間（キャビティ）に溶融した樹脂を充填し、保圧工程、冷却工程を経過した後、双方の金型を開き、エジェクタピンにより金型から成形品を突き出して取り出す工程から成るのが一般的である。
したがって、この様な成形方法に用いられる射出成形用金型においては、射出成形用金型の開閉を妨げる構造は極力避けなければならない。
しかし、図１に示すように、成形品１００の一部に、この成形品１００を固定するための受け部１０１を形成した場合、この受け部１０１は固定側金型と可動側金型との開閉方向に対してひっかかる形状、つまりアンダーカット部分となる。このため、成形品１００にアンダーカット部分がある時の成形工程は、図１６（ａ）に示す様にその部分を、傾斜駒１０４に形成されたスライド入子１０５を用いて成形し、成形品１００を取り出す時は、図１６（ｂ）の如く、金型の開閉と同期してエジェクタピン１０６を突き出して成形品１００を離型させると同時に、傾斜駒１０４のスライド入子１０５を金型の開閉方向に対し直角方向へ摺動させることにより、アンダーカット部分から傾斜駒１０４のスライド入子１０５を抜き出し、そしてスライド入子１０５がアンダーカット部分から完全に抜き出たところで、さらに、エジェクタピン１０６により成形品１００を突き出して金型から取り出すと云う工程になる。
【０００３】
但し、収縮率の低い樹脂の場合は、金型との離型性が悪いため、アンダーカット部分からスライド入子１０５が抜けにくくなり、成形作業に支障を来す場合がある。
又、収縮率の高い樹脂、例えば結晶性樹脂を用いた場合は、樹脂充填後冷却されて固化すると成形品１００の中心に向かって収縮が発生する。そのため、可動側金型１０３のキャビティ面へ深い溝（成形品１００では高いリブ１０７）が形成されている金型では、樹脂を充填した後、樹脂の収縮により成形品１００に中心方向への力が発生し、その結果リブ１０７がキャビティ面の溝に食いついてしまう。そのため、金型から成形品１００を取り出す時に肉が取られたり、金型から成形品１００を離型できない、または、リブを傷つけるいわゆるかじれなどの不都合が生じる場合がある。
以上の様な問題を解決する為に、次の様な技術が開示されている。
先ず、アンダーカット部分の形成については次のものが公知である。
【０００４】
【特許文献１】特開２００１−１６２６５８号公報  この発明は、突出成形手段が成形品の突出部から突出成形部を外すために移動する時に、成形品が突出成形手段に伴って移動するのを防止できる成形金型に関するもので、射出成形金型３０において、固定型板３４及び可動型板４３は成形品１に対応するキャビティ４４を形成し、突出成形手段４８の突出成形部４８ａは突出部２に対応する凹所４９をキャビティ４４と一体的に連通し、エジェクタピン４７がキャビティ４４から成形品１を排出するために可動型板４３を貫通してキャビティ４４へ僅かに突出する。これにより、突出部２を有する成形品１の成形後、突出成形手段４８は突出成形部４８ａを突出部２から外すために移動する時に、エジェクタピン４７は、成形品１内へ僅かに係入するので、成形品１が突出成形手段４８に伴って移動するのを阻止することができると云う発明である。  つまり、この発明は、事前にエジェクタピンをキャビティ内に僅かに突出させておくため、成形品内に僅かに入り込ませることにより突出成形手段が移動しても成形品が移動することを規制するというものである。  しかし、エジェクタピンを成形品内に入り込ませるためその部分だけ薄肉となる。その結果、その部分が光沢ムラとなって意匠的に所望する品質が得られない場合がある。  また、成形品の反りが大きい場合は成形品からエジェクタピンが外れてしまいその移動阻止効果が得られない場合がある。  次に、成形品の収縮に関するものについては、次のものが公知である。
【０００５】
【特許文献２】特開２００３−１１１８３号公報  この発明は、固定側型板と可動側型板とから構成される金型装置において、キャビティの内部に達する固定ピンをエジェクタピンの周囲に固定しておく。この状態で、ゲート孔からキャビティに樹脂を流し込むが、この際、固定ピンの頂部がキャビティの底部より突出しているため、その突出している部分には、樹脂が流入しない。そして、樹脂の流し込みが終了すると、キャビティ内の樹脂が冷却・固化される。  この時、成形品は収縮しようとするが、成形品へ固定ピンが埋没しているため、前記収縮動作が阻止される。その結果、成形品の収縮を極力防止することができ、良好な成形品を得ることができると云うものである。  しかし、特許文献１同様、固定ピンを成形品内に入り込ませるため、成形品の薄肉化の問題あるいは光沢ムラの問題、成形品の反りの発生による固定ピン外れの問題がある。
【発明の開示】
【発明が解決しようとする課題】
【０００６】
本発明の第１の目的は、成形品にアンダーカット部分がある場合に、このアンダーカット部分の形成用スライド入子が円滑に作動する射出成形方法を提供することにある。
本発明の第２の目的は、リブ構造がある金型を用いて収縮率の高い樹脂を用いて成形する場合に、円滑に離型ができる射出成形方法を提供することにある。
本発明の第３の目的は、成形品のリブに損傷のない、強度的に十分なリブ形状を有する成形品を提供することである。
【課題を解決するための手段】
【０００７】
上記目的を達成するため、請求項１に記載の発明においては、射出成形方法において、固定側金型と可動側金型とを型締めして形成されたキャビティにより成形した成形品を型開き後エジェクタピンで突き出すことにより、固定側金型または可動側金型から成形品を離型する射出成形方法において、上記エジェクタピンの先端にカット部を形成することにより、このカット部でエジェクタピンの先端とキャビティ内のエジェクタピンガイド孔の入り口との間に突起部成形空間を形成し、樹脂充填時に、キャビティ内からこの空間内に樹脂の一部を侵入させることにより、成形品の成形と同時にエジェクタピン係合用の突起部を成形することを特徴とするものである。
【０００８】
更に、請求項２に記載の発明においては、請求項１の突起部成形空間は、エジェクタピンの先端の外周面及びキャビティ面において、エジェクタピンガイド孔の入口部分を大径に形成して成形された大径部で形成されることを特徴とするものである。
【０００９】
更に、請求項３に記載の発明においては、請求項１の突起部成形空間は、エジェクタピンガイド孔の入口部分に形成された環状又は半環状の包囲リブ溝から成ることを特徴とするものである。
【００１０】
更に、請求項４に記載の発明においては、請求項１の突起部成形空間は、エジェクタピンガイド孔の入口部分に形成された直線的な板状リブ溝から成ることを特徴とするものである。
【００１１】
更に、請求項５に記載の発明においては、請求項１の突起部形成空間は、エジェクタピンガイド孔の入口部分に形成された放射状の板状リブ溝から成ることを特徴とするものである。
【００１２】
更に、請求項６に記載の発明においては、請求項１の突起部成形空間は、エジェクタピンガイド孔の入口部分に形成された環状又は半環状の包囲リブ溝とこの外側に形成された直線的な平行又は放射状又はこの平行と放射状を組み合わせた板状リブ溝で形成されていることを特徴とするものである。
【００１３】
更に、請求項７に記載の発明においては、請求項６の板状リブ溝は、環状、半環状の包囲リブ溝よりも深く形成されていることを特徴とするものである。
【００１４】
更に、請求項８に記載の発明においては、射出成形品において、エジェクタピンの先端と対向する周囲の全部又は一部に突起部が一体成形されていることを特徴とするものである。
【００１５】
〔作用〕
エジェクタピンの先端部への応力を支える突起部を成形品の成形時に同時に形成し、エジェクタピンとこの突起部との係合作用でスライド入子が摺動する時、又は成形品の熱収縮に際して成形品の移動を阻止する。
【発明の効果】
【００１６】
本発明の効果は次の通りである。
１．成形品にエジェクタピンに隣接するリブ溝で突起部を一体成形するようにしたことに  より、この突起部で成形品はエジェクタピンに係合し、スライド入子のスライド時に成  形品が動いたり、樹脂収縮時に伴う応力で成形品が移動したりしない。この結果、金型  から容易に成形品を離型できる（請求項１〜８）。
２．突起部を包囲リブ溝と包囲リブにより深い板状リブ溝で形成したことにより、成形品  が反った場合でも成形品を確実に保持できる（請求項４〜７）。
３．突起部形成用板状リブ溝を放射状に形成したことにより、形成された板状リブは、エ  ジェクタピンに対して周囲の全部又は一部で係合するため、成形品の全移動方向の阻止  に有効である（請求項５）。
４．環状又は半環状包囲リブ溝と板状リブ溝を組み合わせたことにより、強度的に高い突  起部を形成できる（請求項６）。
５．成形工程における離型時に、成形品はエジェクタピンと突起部の係合作用で固定され  ているため、リブ形状を有する成形品の場合、リブに損傷のない、強度的に安定した成  形品を得ることができる（請求項８）。
【発明を実施するための最良の形態】
【００１７】
本発明における射出成形方法は、請求項１に関してはエジェクタピンの先端側面と係合する突起部を成形品に一体形成する射出成形方法を特徴としている。
したがって、金型の固定側金型と可動側金型とが開きはじめ、同時にスライド入子が金型の開き方向に対して直角方向に動きだしてもエジェクタピンと突起部との係合により、スライド入子とアンダーカット部分の樹脂との密着を原因とする成形品の移動を防ぐことが出来る。したがって、スライド入子はアンダーカット形成部から円滑に抜き出せる効果が得られる。
また、キャビティ内の溶融樹脂が固化する際におきる収縮方向は、成形品の中心に向かって生じるが、成形品に高いリブがある場合、キャビティ面の溝中の樹脂は収縮により溝面へ密着して離型性が悪くなる。
【００１８】
しかし、エジェクタピンと突起部との係合効果により、収縮することを防ぐことができ、成形品がキャビティ面の溝に密着することなく、金型から成形品を容易に離型出来る。
さらに特許文献１、２では、エジェクタピン又は固定ピンの先端を成形品内に僅かに入り込ませることにより成形品の移動を防いでいるが、その為、エジェクタピン又は固定ピンを成形品内に入り込ませるだけの成形品の肉厚が有る程度必要である。また、成形品の反りが大きい場合は、成形品からエジェクタピン又は固定ピンが外れてしまい、その効果が得られない場合がある。しかし、本発明は、成形品内へ入り込ませるのではなく、エジェクタピンと係合する突起部を成形品側に一体形成することにより、エジェクタピンと成形品との係合が深く得られ、その結果係合が確実に行われる。また、成形品に薄肉部を形成しないため、光沢ムラを発生させる要因を除去できる。
【００１９】
突起部を形成する方法としては、エジェクタピンの先端面の周囲を一段落としたことにより、ここに突起部成形空間を形成することができるが、勿論、キャビティ面であって、エジェクタピンガイド孔の入口にこのガイド孔により大径の穴又は溝を形成して突起部形成空間を形成することもできる。
請求項３にて記載した射出成形方法においては、請求項１記載の突起部成形空間は、前記エジェクタピンの先端側面を囲む環状または半環状の包囲リブ溝である。
リブ溝の形状は、成形品にひけ問題が生じない優位性がある。また、エジェクタピンの先端の全部又は一部を囲む形状とすることにより、エジェクタピンに対して環状又は半環状で接合し、全方向からの移動、収縮に対してその係合を確実に行うことができる。
また、エジェクタピンにかかる応力の方向が予測できる場合は、応力を受ける位置にのみ半環状の包囲リブ溝を形成してもよい。
【００２０】
請求項４に記載の射出成形方法においては、請求項１記載の突起部成形空間について前記エジェクタピンの先端側面に係合し、エジェクタピンにおける応力のかかる位置に、かつ、応力の方向へ延びる複数の板状リブを形成するための突起部成形空間をキャビティ面に形成し、これにより板状リブを成形品に一体形成することを特徴とするものである。
板状リブ溝の向きは、応力の方向へ延びる様に形成し、そして、端面でエジェクタピンを受けるため、より多くの応力が負荷されても板状リブが変形しない、例えば直線的で平行な又は放射状又はこれらの組み合わせから成る複数枚形状とする。
また、板状リブを複数枚形成することにより、一枚当りの板厚を薄くすることができ、また、単数枚の場合よりエジェクタピンを受ける総面積を広くできる。
【００２１】
又、請求項６に記載の射出成形方法においては、請求項３記載の環状又は半環状の包囲リブの外側に板状リブが形成されるため、包囲リブの強度を増大させることができる。
さらに、請求項７において、板状リブは、その高さが包囲リブ側よりも高く形成される。例えば、包囲リブとエジェクタピンとの係合をより高めたり、成形品が反っても包囲リブから外れないようにするために包囲リブの高さを高くした場合、包囲リブとエジェクタピンとの接触面積が増大し、その密着により、エジェクタピンが抜けなくなることがある。しかし、板状リブであれば必要面においてのみエジェクタピンと係合しているため、包囲リブ側をより高くしてエジェクタピンが板状リブから外れない様にしても密着面積が少なく容易に離型できる。
したがって、成形品が反って包囲リブがエジェクタピンより離れても板状リブはエジェクタピンを受けることが出来、アンダーカットのスライド入子の摺動や樹脂の収縮による離型性についても良い効果が得られる。
【実施例１】
【００２２】
図１及び図２に基づいて請求項１及び請求項２に記載した発明の実施例について説明する。図１に実施例１により成形された成形品１００を示す。略板状であり両側に側壁１００Ａをもつ形状をしており、用途として装置本体のカバーとして用いるものである。裏面には補強用のリブ１０７が設けられ、またカバーを装置本体へ取り付ける固定部１０１が一体形成されている。固定部１０１は側面に開口部がある中空箱形状である。したがって、この固定部１０１については射出成形用金型が開く方向に対し直角方向に開口部があるため、ここがアンダーカット部分となり、それ故、成形するためには、図１６に基づいて説明したスライド入子１０５を用いた成形方法が必要となる。
この様な成形品１００を成形する実施例１の射出成形方法では、エジェクタピン係合用の突起部１０８Ａを形成する方法として、成形後成形品１００を金型から突き出すエジェクタピンへ図２に示すように、先端面部の周囲を一段落として段部１０６Ａを形成した。寸法的には、エジェクタピン１０６の直径Ｒが１０ｍｍ、先端の凸部の直径ｒが８mmで高さｈを２ｍｍとした。したがって段部１０６Ａの幅は１ｍｍである。ただし、凸部の側面は抜きやすいように若干の勾配がつけてある。
【００２３】
以上のエジェクタピン１０６で突起部成形空間１１０をキャビティ１０９面に形成することにより、図１に示すように、成形品１００には、円形の包囲リブ（突起部）１０８Ａが一体成形される。
次に、図２に示したエジェクタピン１０６を用いた成形方法について図３を基に説明する。
図３は射出成形用金型及び成形品におけるアンダーカット部分及びエジェクタピン付近の要部断面図で、（ａ）はキャビティ内に樹脂を充填している説明図、（ｂ）は射出成形用金型を開いてエジェクタピンにより成形品を突きだしている説明図、（ｃ）は成形完了した成形品の断面説明図である。なお、エジェクタピン１０６の先端形状については判りやすいように図２に示す形状より誇張して表現している。
図３（ａ）における可動側金型１０３にはアンダーカット形状の固定部１０１を形成する傾斜駒１０４の先端にスライド入子１０５と、樹脂充填時には天面をキャビティ１０９面と同一位置に位置するエジェクタピン１０６が具備されている。可動側金型１０３と固定側金型１０２を型締めした後溶融した樹脂をキャビティ１０９内に充填した。本実施例における樹脂はポリスチレン（ＰＳ）樹脂を用いた。
【００２４】
溶融した樹脂は、キャビティ１０９と連続しているスライド入子１０５と可動側金型１０３との空間（固定部の形成）、また、エジェクタピン１０６先端部とエジェクタピンガイド孔１０３Ａとの突起部成形空間（包囲リブ１０８Ａの形成空間）１１０にも充填される。
溶融樹脂充填完了後保圧しながら冷却し樹脂が固化した後、図３（ｂ）に示すように可動側金型１０３と固定側金型１０２との型締めを解き、金型を開く。開くことと同期してエジェクタピン１０６を突き出し、成形された成形品１００を離型させる。また、傾斜駒１０４も斜め方向へ突き出した結果、先端のスライド入子１０５は金型の開き方向に対し直角方向に移動する。この時、アンダーカットである固定部１０１の樹脂は周辺のスライド入子１０５と密着しているため成形品を動かす力が生じる。
【００２５】
しかし、エジェクタピン１０６と包囲リブ（突起部）１０８Ａとの嵌合により、成形品１００は固定されているため、スライド入子１０５は固定部１０１から離脱することができる。その後、さらにエジェクタピン１０６により突き出して射出成形用金型から取り出すと、図３（ｃ）の断面図に示すアンダーカットの固定部１０１が一体形成された成形品（カバー）１００が完成する。
図４は、成形品１００における固定部１０１と包囲リブ１０８Ａの位置関係を示す斜視図である。この図４により、固定部１０１におけるスライド入子１０５が移動する出口部と包囲リブ１０８Ａが形成されている場所の相対関係が理解できる。
図５は、突起部としての半環状の包囲リブ１０８Ａ´である。エジェクタピン１０６からの応力方向が定まっている場合は応力位置のみに半環状の包囲リブとしてもよい。
【実施例２】
【００２６】
実施例２では、収縮率の高い樹脂材料を用いて成形する実施例を図６を基に紹介する。
図６（ａ）、（ｂ）は、射出成形用金型及び成形品におけるリブ及びエジェクタピン付近の要部断面図で、（ａ）はキャビティに樹脂を充填している説明図、（ｂ）は射出成形用金型を開いてエジェクタピンにより成形品を突きだしている説明図である。
本実施例における成形品１００の裏面には多く（図６では代表部のみ記載）のリブ１０７が形成されている（図１参照）。前記リブ１０７は高さが６mm、そして幅が天面で１ｍｍの形状をしている。従来の成形方法では、樹脂の収縮率が高いため溶融樹脂が固化すると成形品１００の中心方向へ図６（ａ）に示す力（矢印方向）が働くため、可動側金型１０３のキャビティ１０９面に形成された溝１０３Ｂの側面へ充填された樹脂が押し付けられる。したがって、離型抵抗が高くなり成形品１００が金型から抜けなくなる、または、溝１０３Ｂの中に樹脂がちぎり取られる、または、かじりなどの不都合が生じる。
【００２７】
本実施例では、実施例１に用いたエジェクタピン１０６を射出成形用金型へ組み込み、図６（ａ）の様にキャビティ１０９内に溶融したポリスチレン（ＰＳ）樹脂を充填し、保圧冷却を行った。
次に、樹脂が固化すると図６（ｂ）に示すように可動側金型１０３と固定側金型１０２との型締めを解き、金型を開く。この開くことと同期してエジェクタピン１０６により成形品１００を突き出す。成形品１００には収縮する力が生じているが、エジェクタピン１０６と包囲リブ１０８Ａとの嵌合により収縮が押さえられている。したがって、リブ１０７は溝１０３Ｂから少ない離型抵抗で抜き出すことがで、金型の中に樹脂を取り残したり、抜き出し不能になったりすることがない。その後、さらにエジェクタピン１０６を突き出して射出成形用金型から成形品を取り出すと、図４に示した成形品（カバー）１００が完成する。
【実施例３】
【００２８】
次に図７及び図８に基づいて請求項４、５に記載した発明の実施例について説明する。
実施例１では、エジェクタピン１０６に段部１０６Ａを形成して包囲リブ１０８Ａを形成したが、本実施例３ではキャビティ１０９面に板状リブ（突起部）１０８Ｂを形成する凹部（空間）１１０をエジェクタピン１０６におけるスライド入子１０５の応力又は収縮力がかかる位置に係合するように形成した。板状リブ１０８Ｂの寸法は高さが３mm長さが４ｍｍ幅が天面で０．５ｍｍとした。他は実施例１と同一である。
図７は射出成形用金型及び成形品におけるアンダーカット及びエジェクタピン付近の要部断面図で、（ａ）はキャビティに樹脂を充填している説明図、（ｂ）は射出成形用金型を開いてエジェクタピンにより成形品を突きだしている説明図、（ｃ）は成形完了した成形品の断面説明図である。
【００２９】
図７（ａ）における可動側金型１０３にはアンダーカット形状の固定部１０１を形成する傾斜駒１０４の先端のスライド入子１０５と、樹脂充填時には天面をキャビティ１０９面と同一位置に位置するエジェクタピン１０６が具備されている。可動側金型１０３と固定側金型１０２を型締めした後溶融した樹脂をキャビティ１０９内に充填した。
溶融樹脂充填完了後保圧しながら冷却し、樹脂が固化した後、図７（ｂ）に示すように可動側金型１０３と固定側金型１０２との型締めを解き金型を開く。開くことと同期してエジェクタピン１０６を突き出して成形された成形品１００を離型させる。この時、アンダーカットである固定部１０１の樹脂は周辺のスライド入子１０５と密着しているため成形品を動かす力が生じる。
しかし、エジェクタピン１０６と板状リブ１０８Ｂとの係合により成形品１００は固定されているためスライド入子１０５は固定部１０１から離脱することができる。その後、さらにエジェクタピン１０６により突き出して射出成形用金型から取り出すと、図７（ｃ）の断面図に示すアンダーカトの固定部１０１が一体形成された成形品（カバー）１００が完成する。
図８は、成形品１００における固定部１０１と板状リブ１０８Ｂの位置関係を示す斜視図である。エジェクタピン１０６の仮想位置を破線で示した。固定部１０１におけるスライド入子１０４の出口部である開口部と板状リブ１０８Ｂが形成されている場所の相対関係が理解できる。
【実施例４】
【００３０】
請求項４、５の実施例について図９を基に説明する。図９は請求項４、５による板状リブ１０８Ｂの上面図である。複数の板状リブ１０８Ｂの内、両端の板状リブ１０８Ｃは放射状に形成されていて、この板状リブ１０８Cは補強リブである。破線はエジェクタピン１０６の仮想位置である。
板状リブ１０８Ｂへエジェクタピン１０６からの応力がかかっても、補助リブ１０８Ｃにより板リブ１０８Ｂがめくれたり押しつぶされたりすることを防ぐことができる。
上記実施例は、板状リブ１０８Ｂ、補強リブ１０８Ｃの説明であるが、板状リブ１０８Ｂは、すべて補強リブ１０８Ｃのように、放射状に形成してもよい。この時、放射状リブは、エジェクターピン１０６の周囲全体、又は応力方向の一部であってもよい。
【実施例５】
【００３１】
請求項６に記載した発明の実施例について図１０及び図１１に基づいて説明する。
図１０（ａ）、（ｂ）、（ｃ）は、射出成形用金型及び成形品におけるアンダーカット及びエジェクタピン付近の要部断面図で、（ａ）はキャビティに樹脂を充填している説明図、（ｂ）は射出成形用金型を開いてエジェクタピンにより成形品を突き出している説明図、（ｃ）は成形完了した成形品の断面図である。図１１（ａ）、（ｂ）は包囲リブと板状リブの説明図で、（ａ）は斜視図（ｂ）は上面図である。
【００３２】
本実施例の金型構造は、実施例１の金型構造を基本とし、さらにスライド入子１０４がアンダーカットから抜け出す方向と反対方向である包囲リブ１０８Ａの外側側面の位置に包囲リブ１０８Ａより高い板状リブ１０８Ｂを形成したことが特徴である。また、板状リブ１０８Ｂの形状として本実施例では、図１１に示す様にリブ形状である２本の板状リブ１０８Ｂとした。このように、周囲リブ１０８Ａを低く、板状リブ１０８Ｂを高く形成したことにより、肉厚の段部にみられるひけの発生が防止できる。また、エジェクタピン１０６の半径方向へ平行に並べることにより、エジェクタピン１０６よりの押し圧に対して有効に対応できる。
図１０を基に成形方法を説明する。樹脂材料としてポリプロピレン（ＰＰ）樹脂を使った。ＰＰ樹脂は反りやすい性質をもつため、実施例１に示す包囲リブ１０８Ａから外れてしまうことがある（図１２参照）。特にエジェクタピン１０６の位置が成形品１００の中心から離れた位置ほどこの傾向が見られる。
まず、図１０（ａ）に示すように、可動側金型１０３と固定側金型１０２とを型締めした後、溶融した樹脂をキャビティ１０９内に充填する。
溶融した樹脂は、キャビティ１０９と連続したスライド入子１０４と可動側金型１０３との空間（固定部の形成）、また、エジェクタピン１０６先端部とエジェクタピンガイド孔１０３Ａ及び板状リブ形成部との空間１１０（板状リブの形成）にも充填される。
【００３３】
溶融樹脂充填完了後、保圧しながら冷却し、樹脂が固化すると、図１０（ｂ）に示すように可動側金型１０３と固定側金型１０２との型締めを解き、金型を開く。開くことと同期してエジェクタピン１０６を突き出して成形された成形品１００を離型させる。また、傾斜駒１０４も斜め方向へ突き出して先端のスライド駒１０５を金型の開き方向に対して直角に移動させる。この時、成形品１００が反ってしまい、包囲リブ１０８Ａから外れてしまっても包囲リブ１０８Ａより高い板状リブ１０８Ｂでエジェクタピン１０６を受けることができるため、成形品１００は固定され、その結果、スライド入子１０５は固定部から離脱することができる。その後、さらにエジェクタピン１０６により突き出して射出成形用金型から成形品１００を取り出すと、図１０（ｃ）の断面図に示すアンダーカットの固定部１０１が一体形成された成形品１００が完成する。
なお、包囲リブ１０８Ａは板状リブ１０８Ｂにより破壊耐力が向上されているため、図１３に示すように包囲リブ１０８Ａがめくれたりするのを防ぐ効果もある。
【実施例６】
【００３４】
請求項６に関する別の実施例について図１４を基に説明する。図１４（ａ）、（ｂ）は請求項６の実施例の説明図で、（ａ）は可動側金型と固定側金型からなるキャビティの説明図、（ｂ）は成形品をエジェクタピンにより突き出した説明図である。
前記した実施例５では、補強リブ１０８Ｂをスライド入子１０５がアンダーカットから抜け出す方向と反対方向の位置に設けていた。本実施例においてこれと異なる点は、一般的に成形品１００の収縮は成形品１００の中心方向に働くため、図１４に示す様に成形品１００における中心方向と反対位置に包囲リブ１０８Ａの高さよりも高い板状リブ１０８Ｂを形成したことにある。
射出成形方法においては、可動側金型１０３と固定側金型１０２を型締めした後、溶融した樹脂をキャビティ１０９内に充填し（図１４（ａ））、樹脂が固化後金型を開いて成形品１００を取り出す。その時、包囲リブ１０８Ａで樹脂の収縮を押さえることにより円滑にリブは溝から少ない離型抵抗で抜き出すことがでる。さらに成形品１００が反って包囲リブ１０８Ａからエジェクタピン１０６が外れてしまっても、包囲リブ１０８Ａより高い板状リブ１０８Ｂでエジェクタピン１０６を受けるため、支障無く成形品１００を金型から取り出せる（図１４（ｂ））。
【実施例７】
【００３５】
本実施例では、様々な形状の突起部の形状とその組み合わせについて図１５を基に紹介する。なお、図１５は全て突起部の上面図である。また、板状リブ１０８Ｂ及び補強リブ１０８Ｃとも包囲リブ１０８Ａ、１０８Ａ´より高さを高く設定している。
図１５（ａ）はエジェクタピン１０６の約半周へ係合する半円形包囲リブ１０８Ａ´であり、応力の方向が定まっているとき用いることができる。図１５（ｂ）は図１５（ａ）の半円形包囲リブ１０８Ａ´へ板状リブ１０８Ｂ及び補強リブ１０８Ｃを合体している。もちろん、板状リブ１６８Ｂのみでも選択できる。図１５（ｃ）は環状の包囲リブ１０８Ａへ板状リブ１０８Ｂ及び補強リブ１０８Ｃを合体している（実施例５では板状リブ１０８Ｂのみ）。図１５（ｄ）は、エジェクタピン１０６が角形の場合の包囲リブ１０８Ａで、図１５（ｅ）は図１５（ｄ）の半環状の包囲リブ１０８Ａ´である。
図１５（ｆ）は図１５（ｅ）の角形半包囲リブ１０８Ａ´と板状リブ１０８Ｂとを合体させた突起部であり、図１５（ｇ）はさらに補強リブ１０８Ｃを追加したものである。
図１５（ｈ）は、板状リブ１０８Ｂ及び補助リブ１０８Ｃをすべて放射状に組み合わせて突起部を形成した例である。
この様に各リブの形状及び組み合わせは、金型構造、成形品、射出条件などにより最適な形状を選択することができる。
【図面の簡単な説明】
【００３６】
【図１】本発明の実施例により成形された成形品の外観図。
【図２】実施例１に用いたエジェクタピンの説明図。
【図３】実施例１における射出成形用金型及び成形方法をアンダーカット及びエジェクタピン付近を基に説明する説明図であって、（ａ）は樹脂射出時、（ｂ）は成形品離型時、（ｃ）は成形品の説明図。
【図４】実施例１で成形した成形品の固定部と包囲リブの説明図。
【図５】半環状の包囲リブの斜視図。
【図６】実施例２おける射出成形用金型及び成形方法を成形品のリブ及びエジェクタピン付近を基に説明する成形品の離形時の説明図。
【図７】実施例３における射出成形用金型及び成形方法を成形品のアンダーカット及びエジェクタピン付近を基に説明する説明図であって、（ａ）は樹脂射出時、（ｂ）は成形品離形時、（ｃ）は成形品の説明図である。
【図８】成形品における固定部と板状リブの位置関係を示す斜視図。
【図９】実施例４における板状リブの説明図。
【図１０】実施例５における射出成形用金型及び成形方法をアンダーカット及びエジェクタピン付近を基に説明する説明図であって、（ａ）は樹脂充填時、（ｂ）は離型時、（ｃ）は成形品の説明図。
【図１１】実施例５における包囲リブと板リブの説明図であって、（ａ）は平面図、（ｂ）は斜視図。
【図１２】成形品が反った場合の説明図。
【図１３】包囲リブが変形した説明図。
【図１４】実施例６における射出成形用金型及び成形方法について、リブ及びエジェクタピン付近を基に説明する説明図であって、（ａ）は保圧、冷却時、（ｂ）は離形時の説明図。
【図１５】（ａ）〜（ｈ）は突起部の形状の説明図。
【図１６】従来における射出成形用金型及び成形品におけるアンダーカット及びエジェクタピン付近の要部と成形工程の説明図。
【符号の説明】
【００３７】
１００  成形品
１０１  固定部
４  リブ
１０８  突起部
１０２  固定側金型
１０３  可動側金型
１０９  キャビティ
１０６  エジェクタピン
１０８Ａ、１０８Ａ´  包囲リブ
１０８Ｂ  板状リブ
１０８Ｃ  補強リブ
【図１】
2005178066.tif 000003
【図２】
2005178066.tif 000004
【図３】
2005178066.tif 000005
【図４】
2005178066.tif 000006
【図５】
2005178066.tif 000007
【図６】
2005178066.tif 000008
【図７】
2005178066.tif 000009
【図８】
2005178066.tif 000010
【図９】
2005178066.tif 000011
【図１０】
2005178066.tif 000012
【図１１】
2005178066.tif 000013
【図１２】
2005178066.tif 000014
【図１３】
2005178066.tif 000015
【図１４】
2005178066.tif 000016
【図１５】
2005178066.tif 000017
【図１６】
2005178066.tif 000018